(57)【要約】【課題】充電対象物の充電中における安全性を確保可能な充電設備を提供する。【解決手段】充電設備１は、充電対象物９の充電を行う。充電設備１は、充電対象物９が配置される上側室７と、上側室７に設置された散布装置３０と、水Ｓ１を貯留するタンク１０と、導電性溶液Ｓ２を貯留するタンク２０と、散布装置３０とタンク１０とを接続する配管５１と、散布装置３０とタンク２０とを接続する配管５２と、を備える。散布装置は３０、水Ｓ１と導電性溶液Ｓ２とが互いに混合された混合液Ｓ３を充電対象物９に散布する。【選択図】図３
2016045981.tif 000002
【特許請求の範囲】
【請求項１】
充電対象物の充電を行う充電設備であって、
前記充電対象物が配置される充電室と、
前記充電室に設置された散布装置と、
水を貯留する第１のタンクと、
導電性溶液を貯留する第２のタンクと、
前記散布装置と前記第１のタンクとを接続する第１の配管と、
前記散布装置と前記第２のタンクとを接続する第２の配管と、
を備え、
前記散布装置は、前記水と前記導電性溶液とが互いに混合された混合液を前記充電対象物に散布する、
充電設備。
【請求項２】
前記散布装置から前記充電対象物に散布された前記混合液を前記散布装置に循環させるための第３の配管をさらに備える、
請求項１に記載の充電設備。
【請求項３】
前記第３の配管には、前記混合液を冷却するための冷却部が設けられている、
請求項２に記載の充電設備。
【請求項４】
前記第１のタンクに貯留された前記水を循環させる第４の配管をさらに備え、
前記第４の配管には、フィルタが設けられている、
請求項１〜３のいずれか一項に記載の充電設備。
【発明の詳細な説明】
【技術分野】
【０００１】
本発明は、充電設備に関する。
【背景技術】
【０００２】
特許文献１には、車両に搭載された駆動用電池のエネルギ放出装置が記載されている。この装置においては、駆動用電池を収容する電池パックの半分の高さに電解質物質が設置されている。この装置においては、車両に非常事態が生じた場合に、次のようにして駆動用電池の電気エネルギが放出される。すなわち、この装置においては、非常事態が生じると、電池パックに水道水が注入される。次いで、電池パックの水面が電池パックの半分の高さより上方になると、電解質物質が水道水に溶解して電解質水溶液が生成される。その後、電解質水溶液が徐々に増加し、駆動用電池の端子電極が水没すると、駆動用電池の放電が促進される。
【先行技術文献】
【特許文献】
【０００３】
【特許文献１】特開２０１３−２３７３５５号公法
【発明の概要】
【発明が解決しようとする課題】
【０００４】
ところで、電池パックの製造工程において、製造または検査のために、電池パックを充電する場合がある。その場合には、充電前の電池パックを所定の充電設備に配置し、その充電設備内において電池パックの充電を行う。万が一、製造時に誤配線等の不具合があったとしても、このタイミングで不具合が発見される。しかし、このとき、電池パックに発熱や発火等の異常が生じる場合がある。そのような場合のために、消火設備により安全性が確保されているが、より短時間で収束させるには、充電設備内において電池パックを速やかに冷却すると共に電池パックの放電を行うことが好ましい。
【０００５】
上述したように、特許文献１に記載の装置は、車両に非常事態が生じた場合に、駆動用電池の電気エネルギが放出するためのものである。したがって、特許文献１には、充電設備内における電池パックの充電中に電池パックに異常が生じた場合の対策について、何ら言及されていない。
【０００６】
本発明は、そのような事情に鑑みてなされたものであり、充電対象物の充電中における安全性を確保可能な充電設備を提供すること目的とする。
【課題を解決するための手段】
【０００７】
上記課題を解決するために、本発明に係る充電設備は、充電対象物の充電を行う充電設備であって、充電対象物が配置される充電室と、充電室に設置された散布装置と、水を貯留する第１のタンクと、導電性溶液を貯留する第２のタンクと、散布装置と第１のタンクとを接続する第１の配管と、散布装置と第２のタンクとを接続する第２の配管と、を備え、散布装置は、水と導電性溶液とが互いに混合された混合液を充電対象物に散布する。
【０００８】
この充電設備においては、充電対象物が配置される充電室に散布装置が設置されている。また、水を貯留する第１のタンク、及び、導電性溶液を貯留する第２のタンクのそれぞれが、第１の配管及び第２の配管によって散布装置に接続されている。このため、第１の配管を介して第１のタンクから散布装置に水を導入すると共に、第２の配管を介して第２のタンクから導電性溶液を散布装置に導入することができる。これにより、充電室において充電中の充電対象物に異常が生じた場合には、水と導電性溶液とが混合された混合液を散布装置から充電対象物に散布することによって、充電対象物を速やかに冷却すると共に充電対象物の放電を行うことができる。よって、充電対象物の充電中における安全性を確保可し、短時間での収束が可能である。ここで、この充電設備にあっては、水と導電性溶液とを別々のタンクに貯留している。このため、比較的取り扱いが困難な混合液を予め大量に貯留して保存しておく場合と比較して、設備の維持が容易である。
【０００９】
本発明における充電設備においては、散布装置から充電対象物に散布された混合液を散布装置に循環させるための第３の配管をさらに備えてもよい。この場合、第３の配管を介して混合液を循環させるので、比較的少ない量の混合液（水及び導電性溶液）により安全性を確保可能である。
【００１０】
本発明における充電設備においては、第３の配管には、混合液を冷却するための冷却部が設けられていてもよい。この場合、混合液を循環させている間に混合液の温度が上昇することが抑制される。このため、充電対象物を確実に冷却することができる。
【００１１】
本発明における充電設備においては、第１のタンクに貯留された水を循環させる第４の配管をさらに備え、第４の配管には、フィルタが設けられていてもよい。この場合、第１のタンクに貯留されている水の水質を、良好な状態に維持することができる。
【発明の効果】
【００１２】
本発明によれば、充電対象物の充電中における安全性を確保可能な充電設備を提供することができる。
【図面の簡単な説明】
【００１３】
【図１】図１は、本実施形態に係る充電設備の構成を示す模式図である。
【図２】図２は、図１に示された充電設備の動作を説明するための模式図である。
【図３】図３は、図１に示された充電設備の動作を説明するための模式図である。
【図４】図４は、図１に示された充電設備の変形例の構成を示す模式図である。
【図５】図５は、図１に示された充電設備の変形例の構成を示す模式図である。
【図６】図６は、図５に示された充電設備の動作を説明するための模式図である。
【発明を実施するための形態】
【００１４】
以下、本発明に係る充電設備の一実施形態について、図面を参照して詳細に説明する。なお、各図の説明において、同一の要素同士、或いは、相当する要素同士には、互いに同一の符号を付し、重複する説明を省略する。
【００１５】
図１は、本実施形態に係る充電設備の構成を示す模式図である。図１に示されるように、充電設備１は、本体部２を備えている。本体部２は、上壁部３、下壁部４、側壁部５、及び隔壁部６から構成されている。上壁部３、側壁部５、及び隔壁部６は、本体部２内において上側室７を形成している。下壁部４、側壁部５、及び隔壁部６は、本体部２内において下側室８を形成している。上壁部３には、排気孔３ｈが形成されている。隔壁部６には、上側室７と下側室８との間で液体等を通過させる複数の孔（不図示）が形成されている。本体部２は、下壁部４の下に設けられた接地部２ｃを介して地面に載置されている。
【００１６】
上側室７には、充電対象物９が配置されている。充電対象物９は、一例として、電池パックである。電池パックは、例えば、複数の電池セルを接続して構成される電池モジュールをさらに複数接続することにより構成される。電池セルは、例えばリチウムイオン二次電池である。充電対象物９は、パレット９ｐを介して隔壁部６上に載置されている。充電設備１においては、上側室７において充電対象物９の充電が行われる。つまり、充電設備１は、充電対象物９が配置される充電室（上側室７）を備えている。上側室７には、充電対象物９の充電ための電源装置等（不図示）が設けられている。
【００１７】
充電設備１は、タンク（第１のタンク）１０及びタンク（第２のタンク）２０を備えている。タンク１０は、下側室８に配置されている。タンク１０は、水Ｓ１を貯留している。水Ｓ１は、例えば、水道水や工業用水である。タンク１０は、水Ｓ１を貯留可能な任意の材料から構成され得る。タンク１０には、水位計１１及び温度計１２が設けられている。水位計１１は、タンク１０に貯留された水Ｓ１の水位を計測する。温度計１２は、タンク１０に貯留された水Ｓ１の温度を計測する。
【００１８】
タンク２０は、本体部２の外部に配置されている。より具体的には、タンク２０は、上壁部３上に配置されている。タンク２０は、導電性溶液Ｓ２を貯留している。導電性溶液Ｓ２は、導電性を有する液体であって、例えば塩水（塩化ナトリウム水溶液）である。ただし、導電性溶液Ｓ２は、塩水に限らず、水と水に溶けることにより導電性を示す任意の物質（例えば、塩化カリウムや塩化マグネシウム等）とからなる水溶液とすることができる。タンク２０は、例えば塩水である導電性溶液Ｓ２を貯留することによる錆を防止可能な材料からなる（或いは、内面に防錆加工が施されている）。
【００１９】
充電設備１は、散布装置３０を備えている。散布装置３０は、上側室７内に設置されている。散布装置３０は、充電対象物９の上方に配置される。換言すれば、充電対象物９は、上側室７内において散布装置３０の直下に位置するように配置される。散布装置３０は、例えばシャワーノズルであって、上部３１から供給された液体を底部３２から下方に向けて所定の範囲に散布する。
【００２０】
充電設備１は、漏斗状部材４０を備えている。漏斗状部材４０は、隔壁部６とタンク１０との間に配置されている。より具体的には、漏斗状部材４０は、円錐（或いは角錐）の底面に相当する上側開口端４１が隔壁部６を下方から覆うように、且つ、円錐（或いは角錐）の頂点に相当する下側開口端４２がタンク１０に向かうように配置されている。漏斗状部材４０は、隔壁部６の複数の孔を通過した液体をタンク１０に向けて集約する。漏斗状部材４０の上側開口端４１と下側開口端４２との間には、フィルタＦ１が設けられている。フィルタＦ１は、液体から異物を除去する。
【００２１】
充電設備１は、配管５１〜５５を備えている。配管５１は、タンク１０における側部１３の底部１４側の部分から側壁部５を貫通して散布装置３０の上部３１に至るように延在している。配管５１には、タンク１０から散布装置３０に向かって（上流から下流に向かって）、ポンプＰ、バルブＶ１、ラジエータ（冷却部）Ｒ、及びバルブＶ２が順に設けられている。このように、配管５１は、タンク１０と散布装置３０とを互いに接続する第１の配管として機能する。
【００２２】
配管５２は、タンク２０の底部２１から上壁部３を貫通して散布装置３０の上部３１に至るように延在している。ここでは、配管５１と配管５２とは、散布装置３０において合流する。配管５２には、バルブＶ３が設けられている。このように、配管５２は、タンク２０と散布装置３０とを互いに接続する第２の配管として機能する。
【００２３】
配管５３は、両端がタンク１０に接続されている。配管５３は、タンク１０における側部１３の底部１４側の部分から側壁部５を貫通してタンク１０の上部１５に至るように延在している。配管５３には、タンク１０の側部１３から上部１５に向かって（上流から下流に向かって）、ポンプＰ、バルブＶ４、フィルタＦ２、及びバルブＶ５が順に設けられている。また、配管５３には、流量計（不図示）が設けられている。配管５１と配管５３とは、タンク１０からポンプＰを介してバルブＶ１に向かう地点まで共通している。配管５３は、タンク１０に貯留された水Ｓ１を循環させる第４の配管として機能する。
【００２４】
配管５４は、外部の水源（水道水源や工業用水源）から延在して２つに分岐している。配管５４の一方の分岐路５４ａは配管５１に接続されており、他方の分岐路５４ｂは配管５３に接続されている。分岐路５４ａにおける配管５１との接続点の近傍（上流側）には、バルブＶ６が設けられている。分岐路５４ｂにおける配管５３との接続点の近傍（上流側）には、バルブＶ７が設けられている。
【００２５】
配管５５は、漏斗状部材４０とタンク１０とを互いに接続している。配管５５は、漏斗状部材４０の下側開口端４２からタンク１０の上部１５に至るように延在している。配管５５には、バルブＶ８が設けられている。
【００２６】
引き続いて、以上のように構成される充電設備１の動作について説明する。図２，３は、図１に示された充電設備の動作を説明するための模式図である。以下では、充電設備１の上側室７において、充電対象物９の充電が行われているものとする。
【００２７】
まず、充電対象物９に異常が生じていない正常時における充電設備１の動作について説明する。ここでは、初期状態として、バルブＶ１〜Ｖ８の全てが閉状態とされると共に、ポンプＰが停止状態とされている。その初期状態において、所定時間が経過したときに（定期的に）、バルブＶ４，Ｖ５を開状態とすると共に、ポンプＰを作動状態とする。
【００２８】
これにより、図２に示されるように、配管５３を介して、タンク１０の底部１４から上部１５に向かって水Ｓ１が流れる。その結果、タンク１０に貯留された水Ｓ１が循環させられる。水Ｓ１は、配管５３を介した循環の際に、フィルタＦ２を通過する。これにより、水Ｓ１に含まれる異物（例えばバクテリアや藻等）が除去される。つまり、ここでは、フィルタＦ２が設けられた配管５３を介してタンク１０に貯留された水Ｓ１を定期的に循環させることにより、水Ｓ１の水質を良好に維持する。
【００２９】
なお、タンク１０には、その内部を、一部を除いて上下に２分割する分割壁１６が設けられている。分割壁１６は、配管５３への水Ｓ１の吐出部が形成されるタンク１０の側部１３と反対側の側部１７側において開口しており、該開口から水Ｓ１を流通させる。この分割壁１６によって、水Ｓ１がタンク１０内を蛇行して流れるようになる。このため、タンク１０に貯留された水Ｓ１の全体を循環させることが可能である。
【００３０】
また、ここでは、配管５３に設けられた流量計の計測結果に応じて、ポンプＰの異常を検出することができる。つまり、ここでは、定期的にポンプＰを作動状態として配管５３の流量を計測することにより、ポンプＰの異常の有無を検査する。なお、例えば、フィルタＦ２の上流側と下流側との差圧を確認することにより、フィルタＦ２の交換時期を察知することも可能である。
【００３１】
タンク１０に貯留された水Ｓ１が十分に循環させられた場合（例えば循環を開始していから一定時間が経過した場合）には、バルブＶ４，Ｖ５を閉状態とすると共にポンプＰを停止状態とし、正常時の動作を終了する。
【００３２】
このように充電設備１が正常時の動作を行う中で（或いは正常時の動作の合間に）、タンク１０の水位計１１によりタンク１０の水位が所定の基準レベル以下であることが検出された場合には、バルブＶ７を開状態とすることにより、配管５４（分岐路５４ｂ）及び配管５３を介してタンク１０に新たに水を補給する。
【００３３】
次に、充電対象物９に発熱や発火等の異常が生じた緊急時における充電設備１の動作について説明する。ここでは、初期状態として、バルブＶ１〜Ｖ８の全てが閉状態とされると共に、ポンプＰが停止状態とされている。その初期状態において、充電対象物９に異常が生じたとき、バルブＶ１〜Ｖ３，Ｖ８を開状態とすると共に、ポンプＰを作動状態とする。
【００３４】
これにより、図３に示されるように、配管５１を介してタンク１０から散布装置３０に水Ｓ１が流れると共に、配管５２を介してタンク２０から散布装置３０に導電性溶液Ｓ２が流れる。水Ｓ１及び導電性溶液Ｓ２は、散布装置３０の上部３１から散布装置３０に導入される。散布装置３０に導入された水Ｓ１と導電性溶液Ｓ２とは、散布装置３０内において互いに混合され導電性を有する混合液Ｓ３となり、散布装置３０の底部３２から充電対象物９に散布される。つまり、ここでは、散布装置３０が、水Ｓ１と導電性溶液Ｓ２とが互いに混合された混合液Ｓ３を充電対象物９に散布する。
【００３５】
これにより、混合液Ｓ３によって充電対象物９が速やかに冷却されると共に充電対象物９の放電が行われる（促進される）。充電対象物９に散布された混合液Ｓ３は、隔壁部６の孔を通じて漏斗状部材４０に流れ込む。漏斗状部材４０に流れ込んだ混合液Ｓ３は、漏斗状部材４０により集約されつつ配管５５を介してタンク１０に導入される。このとき、混合液Ｓ３は漏斗状部材４０内においてフィルタＦ１を通過する。これにより、混合液Ｓ３から異物（例えば充電対象物９から離脱した部品・物質等）が除去される。
【００３６】
タンク１０に導入された混合液Ｓ３は、配管５１を介して再び散布装置３０に導入される。これにより、散布装置３０に混合液Ｓ３が循環させられる。特に、混合液Ｓ３は、循環する際に配管５１に設けられたラジエータＲを通過する。したがって、例えばラジエータＲの放熱フィンへの送風等によって、混合液Ｓ３を冷却しつつ循環させることができる。このように、配管５１は、充電対象物９に散布された混合液Ｓ３を散布装置３０に循環させる第３の配管として機能する。
【００３７】
その後、充電対象物９が十分に冷却されると共に十分に放電され、安全性が確保された場合には、バルブＶ１〜Ｖ３，Ｖ８を閉状態に戻すと共にポンプＰを停止状態に戻し、緊急時の動作を終了する。なお、この緊急時の動作において、混合液Ｓ３の電気分解等により上側室７において生じたガスは、上壁部３に設けられた排気孔３ｈから排気される。
【００３８】
以上説明したように、本実施形態に係る充電設備１においては、充電対象物９が配置される上側室７に散布装置３０が設置されている。また、水Ｓ１を貯留するタンク１０、及び、導電性溶液Ｓ２を貯留するタンク２０のそれぞれが、配管５１及び配管５２によって散布装置３０に接続されている。このため、配管５１を介してタンク１０から散布装置３０に水Ｓ１を導入すると共に、配管５２を介してタンク２０から導電性溶液Ｓ２を散布装置３０に導入することができる。
【００３９】
これにより、充電対象物９の充電中に充電対象物９に異常が生じた緊急時には、水Ｓ１と導電性溶液Ｓ２とが混合された混合液Ｓ３を散布装置３０から充電対象物９に散布することによって、充電対象物９を冷却する。また、液体である水Ｓ１と導電性溶液Ｓ２とを混合し散布するため、例えば電解質物質を水に溶融させる場合と比較し、溶融に要する時間を必要とせず、速やかに充電対象物の放電を行うことができる。よって、充電対象物９の充電中における安全性を確保し、短時間での収束が可能である。また、充電設備１にあっては、水Ｓ１と導電性溶液Ｓ２とを別々のタンク１０，２０に貯留している。例えば、放電に塩水を用いる場合、塩水自体を大量に貯留すると、設備全体に高い防錆性が求められる。しかし、別々のタンク１０，２０に分けて貯留すれば、塩水の貯留量を減らし、高い防錆性を施す範囲を限定できる。すなわち、比較的取り扱いが困難な混合液Ｓ３を予め大量に貯留して保存しておく場合と比較して、設備の維持が容易である。
【００４０】
また、本実施形態に係る充電設備１においては、散布装置３０から充電対象物９に散布された混合液Ｓ３を、配管５１を用いて散布装置３０に循環させる。このため、比較的少ない量の混合液（水Ｓ１及び導電性溶液Ｓ２）Ｓ３により安全性を確保可能である。特に、充電設備１においては、配管５１には、混合液Ｓ３を冷却するためのラジエータＲが設けられている。このため、混合液Ｓ３を循環させている間に混合液Ｓ３の温度が上昇することが抑制される。よって、充電対象物９を確実に冷却することができる。
【００４１】
また、本実施形態に係る充電設備１においては、充電対象物９に異常が生じていない正常時において、定期的に、配管５３を用いてタンク１０に貯留された水Ｓ１を循環させる。特に、配管５３にはフィルタＦ２が設けられているので、配管５３による水Ｓ１の循環により、水Ｓ１から異物が除去される。このため、タンク１０に貯留されている水Ｓ１の水質を良好な状態に維持することができる。
【００４２】
さらに、本実施形態に係る充電設備１においては、正常時において、定期的にポンプＰを作動状態として、配管５３に設けられた流量計によりポンプＰの異常の有無を検査する。このため、緊急時にあってポンプＰが使用不能であるという状態が生じることを避けることができる。
【００４３】
上記実施形態は、本発明に係る充電設備の一実施形態を説明したものである。したがって、本発明に係る充電設備は、上述した充電設備１に限定されない。本発明に係る充電設備は、各請求項の要旨を変更しない範囲において、上述した充電設備１を任意に変更したものとすることができる。
【００４４】
例えば、上記実施形態においては、配管５１と配管５２とは、別々に散布装置３０に接続され、散布装置３０において合流している場合について説明した。しかしながら、図４に示されるように、配管５２が配管５１に合流するように接続されていてもよい。この場合、配管５２は、配管５１の一部を介して、タンク２０と散布装置３０とを接続することとなる。また、散布装置３０には、予め混合された混合液Ｓ３が導入されることとなる。
【００４５】
また、上記実施形態に係る充電設備１は、図５に示される充電設備１Ａのように変形することができる。充電設備１Ａは、充電設備１と比較して、主に、タンク１０の配置において充電設備１と相違している。すなわち、充電設備１Ａにおいては、タンク１０は、本体部２の外部に配置されている。より具体的には、タンク１０は、タンク２０と共に、上壁部３上に配置されている。
【００４６】
充電設備１Ａは、このようなタンク１０の配置に応じて、配管５６をさらに備えている。配管５６は、タンク１０の底部１４から上壁部３を貫通して散布装置３０の上部３１に至るように延在している。つまり、配管５６は、タンク１０と散布装置３０とを接続する第１の配管として機能する。配管５６は、散布装置３０側の端部において配管５１と合流している。配管５６には、バルブＶ９が設けられている。なお、ここでは、配管５３が、配管５１と別系統として設けられている。このため、配管５３には、ポンプＰＡがさらに設けられている。
【００４７】
充電設備１Ａは、上方に開放された箱状の容器６０をさらに備えている。容器６０は、漏斗状部材４０の下方に配置されている。容器６０は、散布装置３０から散布され、漏斗状部材４０により集約された液体を受けて貯留する。
【００４８】
図６は、図５に示された充電設備の動作を説明するための図である。図６に示されるように、充電設備１Ａは、その正常時には、次のように動作する。すなわち、まず、初期状態において、所定時間が経過したときに（定期的に）、バルブＶ４を開状態とすると共に、ポンプＰＡを作動状態とする。なお、初期状態においては、バルブＶ９が閉状態とされている。
【００４９】
これにより、充電設備１と同様に、配管５３を介して、タンク１０の底部１４から上部１５に向かって水Ｓ１が流れる。その結果、タンク１０に貯留された水Ｓ１が循環させられる。水Ｓ１は、配管５３を介した循環の際に、フィルタＦ２を通過する。これにより、水Ｓ１に含まれる異物（例えばバクテリアや藻等）が除去される。つまり、充電設備１Ａにおいても、フィルタＦ２が設けられた配管５３を介してタンク１０に貯留された水Ｓ１を定期的に循環させることにより、水Ｓ１の水質を良好に維持する。
【００５０】
また、充電設備１と同様にして、定期的に、ポンプＰＡの異常の有無、及びフィルタＦ２の交換時期が判断される。タンク１０に貯留された水Ｓ１が十分に循環させられた場合（例えば循環を開始していから一定時間が経過した場合）には、バルブＶ４を閉状態とすると共にポンプＰＡを停止状態とし、正常時の動作を終了する。
【００５１】
一方、充電設備１Ａは、その緊急時には、次のように動作する。すなわち、充電設備１Ａは、まず、初期状態において、バルブＶ３，Ｖ９を開状態とする。これにより、配管５６を介してタンク１０から散布装置３０に水Ｓ１が流れると共に、配管５２を介してタンク２０から散布装置３０に導電性溶液Ｓ２が流れる。散布装置３０に導入された水Ｓ１と導電性溶液Ｓ２とは、散布装置３０内において互いに混合され混合液Ｓ３となり、散布装置３０の底部３２から充電対象物９に散布される。
【００５２】
これにより、混合液Ｓ３によって充電対象物９が速やかに冷却されると共に充電対象物９の放電が行われる（促進される）。充電対象物９に散布された混合液Ｓ３は、隔壁部６の孔を通じて漏斗状部材４０に流れ込む。漏斗状部材４０に流れ込んだ混合液Ｓ３は、漏斗状部材４０により集約されつつ配管５５を介して容器６０に導入される。容器６０に導入され貯留された混合液Ｓ３が一定の水位になったとき、バルブＶ１，Ｖ２を開状態とすると共に、ポンプＰを作動状態とする。
【００５３】
これにより、配管５１を介して散布装置３０に混合液Ｓ３が循環させられる。その後、充電対象物９が十分に冷却されると共に十分に放電され、安全性が確保された場合には、バルブＶ１〜Ｖ３，Ｖ９を閉状態に戻すと共にポンプＰを停止状態に戻し、緊急時の動作を終了する。
【００５４】
以上のような充電設備１Ａにおいても、上述した充電設備１と同様の効果を奏することが可能である。特に、充電設備１Ａにおいては、充電対象物９及び散布装置３０よりも上側にタンク１０（及びタンク２０）が配置されている。したがって、緊急時において、ポンプＰを作動させることなく、バルブＶ９（バルブＶ３）を開状態とする手順のみにより、混合液Ｓ３を充電対象物９に散布することが可能である。したがって、ポンプＰの異常の有無に関わらず、安全性を確保することが可能となる。
【００５５】
以上の充電設備１，１Ａにおいては、例えば、ポンプＰの故障に備えて、ポンプＰに対して並列に別のポンプを設けることができる。また、配管５３に設けられたフィルタＦ２に対してＵＶ照射による殺菌機能をもたせてもよい。
【符号の説明】
【００５６】
１…充電設備、７…上側室（充電室）、９…充電対象物、１０…タンク（第１のタンク）、２０…タンク（第２のタンク）、５１…配管（第１の配管、第３の配管）、５２…配管（第２の配管）、５３…配管（第４の配管）、５６…配管（第１の配管）Ｆ２…フィルタ、Ｒ…ラジエータ（冷却部）、Ｓ１…水、Ｓ２…導電性溶液、Ｓ３…混合液。
【図１】
2016045981.tif 000003
【図２】
2016045981.tif 000004
【図３】
2016045981.tif 000005
【図４】
2016045981.tif 000006
【図５】
2016045981.tif 000007
【図６】
2016045981.tif 000008